(57)【要約】【課題】配置図を有する端末が任意の照明装置と通信することにより、照明装置の配置位置と識別情報を容易に対応付けできる。【解決手段】実施形態の照明装置１０は、複数の照明装置の配置位置を記憶可能な記憶部を有し、複数の照明装置に情報を送信する送受信部を備えた端末２０と通信が可能であり、端末２０から送信された配置位置情報を受信し、自機の識別情報を送信する送受信部１４と、自機の識別情報を記憶する記憶部１５とを有する。照明装置１０は端末２０から送信された配置位置情報を受信すると自機の記憶部１５に記憶し、自機の記憶部１５に記憶した自機の識別情報を送受信部１４から端末２０へ送信する。 【選択図】図１
2019067599.tif 000002
【特許請求の範囲】
【請求項１】
複数の照明装置の配置位置を記憶可能な記憶部を有し、前記複数の照明装置に情報を送信する送受信部を備えた端末と通信が可能であり、
前記端末から送信された前記配置位置情報を受信し、自機の識別情報を送信する送受信部と；
前記自機の識別情報を記憶する記憶部と；
を備え、
前記端末から送信された前記配置位置情報を受信すると自機の記憶部に記憶し、自機の記憶部に記憶した自機の識別情報を前記送受信部から前記端末へ送信することを特徴とする照明装置。
【請求項２】
複数の照明装置の配置位置を記憶可能な記憶部を有し、前記複数の照明装置に情報を送信する送受信部を備えた端末と；
前記端末と通信が可能であり、前記端末から送信された前記配置位置情報を受信し、自機の識別情報を送信する送受信部と、前記自機の識別情報を記憶する記憶部とを有した照明装置と；
を備え、
前記照明装置は、前記端末から送信された前記配置位置情報を受信すると自機の記憶部に記憶し、自機の記憶部に記憶した自機の識別情報を前記送受信部から前記端末へ送信し、前記端末は前記照明装置の識別情報を受信する
ことを特徴とする照明システム。
【請求項３】
前記端末は、前記配置位置情報の受信を停止させる除外信号の送信が可能であり、前記照明装置は、光源を備え、自機の識別情報を送信後に前記光源を一定時間点滅することを特徴とする請求項２に記載の照明システム。
【請求項４】
前記照明装置は、前記端末から除外信号を受信すると、前記端末から送信された配置位置情報の受信を一定時間停止することを特徴とする請求項２または請求項３に記載の照明システム。
【請求項５】
前記端末は、前記配置位置情報を微弱な電波で送信することを特徴とする請求項２ないし請求項４のいずれか１項記載の照明システム。
【請求項６】
前記端末は、前記送受信部にアンテナを備え、前記配置位置情報を前記アンテナから送信することを特徴とする請求項２ないし請求項４のいずれか１項記載の照明システム。
【発明の詳細な説明】
【技術分野】
【０００１】
本発明の実施形態は、照明装置および照明システムに関する。
【背景技術】
【０００２】
従来、非常時に非常用電源を用いて点灯する非常用の照明装置や避難経路等への誘導のために点灯する誘導用の照明装置が提供されている。そして、近年、これらの照明装置の点検作業を容易化するために、照明装置に、外部端末と無線通信が可能である無線通信機を搭載した構成も提案されている。
【０００３】
一般に、たとえば建物内の天井面に設置された複数台の照明装置を制御する場合、各照明装置は自機の固有のアドレス情報を無線信号で送信し、この固有のアドレスを受信した外部端末と通信を確立する。
【０００４】
しかしながら、上記のような照明装置は各々が外部端末と通信が確立するまで自機の固有アドレスを送信し続ける。また、外部端末は複数台の照明装置から固有アドレスを受信するため、受信した固有アドレスがどの装置に該当するものなのか分からないという課題があった。
【先行技術文献】
【特許文献】
【０００５】
【特許文献１】特開２０１５−０１８６３６号公報
【発明の概要】
【発明が解決しようとする課題】
【０００６】
本発明が解決しようとする課題は、照明装置の配置図を有する端末が任意の照明装置と通信することにより、照明装置の配置位置と識別情報を容易に対応付けできる照明装置および照明システムを提供することである。
【課題を解決するための手段】
【０００７】
実施形態の照明装置は、複数の照明装置の配置位置を記憶可能な記憶部を有し、複数の照明装置に情報を送信する送受信部を備えた端末と通信が可能であり、端末から送信された配置位置情報を受信し、自機の識別情報を送信する送受信部と、自機の識別情報を記憶する記憶部とを有する。照明装置は端末から送信された配置位置情報を受信すると自機の記憶部に記憶し、自機の記憶部に記憶した自機の識別情報を送受信部から端末へ送信する。
【発明の効果】
【０００８】
本発明によれば、照明装置の配置図を有する端末から識別情報を送信し任意の照明装置と通信することにより、照明装置の配置位置と識別情報を容易に対応付けできる。
【図面の簡単な説明】
【０００９】
【図１】実施形態の照明システムの構成を示す斜視図である。
【図２】同上照明装置を示す斜視図である。
【図３】同上照明装置の構成例を示すブロック図である。
【図４】同上端末に表示される照明装置の配置図を示す図である。
【図５】同上端末に表示される照明装置の配置図を示す図である。
【図６】同上端末に表示される照明装置の配置図を示す図である。
【図７】同上端末に表示される識別番号リストを示す図である。
【図８】同上照明システムの動作を示すシーケンス図である。
【図９】同上照明システムの動作を示すシーケンス図である。
【発明を実施するための形態】
【００１０】
以下、実施形態を図面を参照して説明する。
【００１１】
図１は本実施の形態の照明システムの構成を示す。図１に示すように、照明システム１００は、照明空間１の天井面に設置された複数の照明装置１０（１０a〜１０i)と、照明装置１０と通信可能に接続される端末２０とから構成される。具体的には、照明装置１０は停電時などの非常時に点灯する非常灯であり、それぞれ天井面に所定の間隔で設置されている。
【００１２】
尚、本実施形態では、照明装置１０は、９台配置した場合について説明するが、これに限定されるものではなく、複数台（ｎ台（ｎは整数））配置されればよい。
【００１３】
端末２０は、スマートフォンやタブレット端末等の携帯端末であり、照明装置１０と無線通信が可能に構成されている。端末２０は、表示画面を有し照明装置１０の配置位置を表した配置図を端末画面に表示する機能を有する。
【００１４】
また、各照明装置１０a〜１０i間、および各照明装置１０a〜１０iと端末２０との間の通信方式は、たとえば、ＢＬＥ（Bluetooth（登録商標）Low  Energy）などのメッシュネットワークが可能な無線通信方式である。
【００１５】
図２および図３は、照明装置１０の構成を示している。この照明装置１０は、光源１１と、蓄電池１２と、制御部１３および記憶部１５と、送受信部１４とを備え、これらは筐体１６の内部に収納されている。また、筐体１６の背面側には、外部電源１８と接続される端子台１９が設けられている。
【００１６】
光源１１は、たとえば発光ダイオード(ＬＥＤ)あるいはレーザダイオードなどの半導体発光素子、または、有機ＥＬ素子(ＯＬＥＤ)などで構成された発光モジュールが用いられ、白色光を出射するように構成されている。光源１１は、発光モジュールから放射された光の配光を制御する透明なガラス製または樹脂製のレンズを有する。
【００１７】
蓄電池１２は、筐体内部に着脱可能な電池であり、ニカド電池、ニッケル水素電池、あるいはリチウムイオン電池などの充電可能な二次電池である。
【００１８】
外部電源１８は、商用交流電源、あるいは直流電源など、任意の電源とすることが可能である。本実施形態では、外部電源を商用交流電源としている。
【００１９】
端子台１９は、筐体１６の背面側に設けられており、図示しない電線を介して外部電源１８と制御部１３とを電気的に接続するものである。
【００２０】
制御部１３は、外部電源１８および蓄電池１２と電気的に接続されており、外部電源１８および蓄電池１２からの電力を光源１１、送受信部１４などに供給するものである。
【００２１】
制御部１３には、外部電源１８から供給された電力が端子台１９を介して供給される。制御部１３は、常用時には外部電源１８により蓄電池１２を充電し、非常時には蓄電池１２の電力を光源１１に供給するように制御する。また、非常時には蓄電池１２の電力を送受信部１４に供給するように制御してもよい。
【００２２】
また、制御部１３は点検部（図示しない）と記憶部１５を備えており、点検部が点検した点検情報を記憶部１５に記憶し、点検情報を送受信部１４から外部端末へ出力するように制御することができる。
【００２３】
点検部は、蓄電池１２の電圧、電流、温度、放電時間及び放電回数を検知することにより蓄電池１２が正常に動作するか否かの点検を行い、これらの点検情報を記憶部１５に出力する。
【００２４】
記憶部１５は揮発性メモリおよび不揮発性メモリなどから構成される。記憶部１５は、自身を示す識別番号を記憶する。識別番号は照明装置１０を特定するための識別情報であり、たとえば、ＭＡＣアドレスなどの固有アドレスである。この識別番号は照明装置１０の製造時において記憶部１５に記憶されてもよい。また、記憶部１５は後述する端末２０から送信された端末２０の識別情報を記憶する。
【００２５】
送受信部１４は、無線通信でデータを送受信するためのインターフェースである。送受信部１４は、たとえば、Ｂｌｕｅｔｏｏｔｈ（登録商標）接続をサポートするインターフェースである。ここでは、ＢＬＥ通信をサポートするものとする。送受信部１４は、制御部１３に接続されており記憶部１５が記憶している自機の識別番号および点検などの情報を無線信号として端末２０に送信する。制御部１３は、送受信部１４から照明装置の識別番号を送信すると光源１１を一定時間点滅させる。たとえば、送受信部１４から識別信号を送信後に光源１１を１０秒間点滅することにより、作業者は、識別番号を送信した照明装置を目視で確認することができる。
【００２６】
端末２０は、スマートフォンやタブレット端末等の携帯端末であり、照明装置１０から送信された信号を受信または自機の信号を送信する送受信部（図示しない）を有する。
【００２７】
送受信部は自機の信号を送信する場合、微弱な電波により送信されてもよい。また、送受信部は指向性を有するアンテナ（図示しない）を備え、このアンテナから自機の信号を送信してもよい。これにより、たとえば図１に示すように端末２０から照明装置１０iへ信号を送信した場合に、隣接した照明装置１０ｈ、１０e、１０ｆが受信することを抑制することができる。
【００２８】
また、端末２０は、自機の記憶部（図示しない）に自身を示す識別番号を記憶する。識別番号は端末２０を特定する識別情報であり、たとえば、ＭＡＣアドレスなどの固有アドレスである。この識別番号は端末２０の製造時において記憶部に記憶されてもよい。
【００２９】
また、端末２０は、図４に示すように自機の記憶部に照明装置１０の配置位置２１を記憶しており、この配置位置２１を表した配置図２２を端末の表示画面２３に表示する。ここでは、配置位置２１の配置位置２１に１〜９の番号を付与している。実施形態では配置位置２１に番号を付与しているが、これに限らず、たとえば文字などでもよい。以降、配置位置２１に付与された番号を配置位置情報と称する。
【００３０】
端末２０の表示画面２３は、たとえば液晶モニタなどでありタッチパネルなどで構成されており、作業者が表示画面２３をタップすることで操作できる。配置図２２は、照明空間１の平面図と対応したレイアウト図である。この配置図２２は、照明装置１０が設置時に端末２０に記憶されており、たとえば照明装置１０の設置前に作業者が端末２０の記憶部に配置図２２を記憶させることができる。
【００３１】
照明装置１０が天井面に設置された直後は、配置図２２の配置位置２１と照明装置１０の識別番号が対応付けされていない。そのため、端末２０と照明装置１０を通信させることにより配置図２２の配置位置２１へ照明装置１０の識別番号を登録する必要がある。
【００３２】
具体的には、作業者は端末２０を所持して照明装置１０付近に移動し、図４に示すように配置図２２の配置位置２１をタップする。ここでは、作業者が１番の配置位置２１を選択したとする。端末２０は、送受信部から配置位置２１に付与された1番の情報、つまり配置位置情報を送信する。端末２０から送信された配置位置情報を受信した照明装置１０aは、受信した端末２０の配置位置情報を記憶部１５に記憶し、自機の識別番号を端末２０へ送信する。
【００３３】
端末２０は、照明装置１０aから送信される識別番号を受信すると、自機の記憶部に照明装置１０aの識別番号を記憶し、図５に示すように１番の配置位置２１に識別番号を登録する。端末２０は、識別番号の登録が完了すると登録完了を示す信号（以降、登録完了信号と称する）を送信する。照明装置１０aは、この登録完了信号を受信すると端末２０の配置位置情報の受信を停止する。この工程を繰り返すことにより図６に示すように照明装置１０a〜１０iの配置位置と識別番号を対応付けることができる。
【００３４】
一方、端末２０は、複数の照明装置から識別番号を受信すると図７に示すように表示画面２３に受信した識別番号リスト２４を作成し表示する。作業者は、識別番号リスト２４に表示された識別番号をタップし、登録ボタン２５をタップすることにより端末２０が自機の記憶部に照明装置１０aの識別番号を記憶し、図５に示すように１番の配置位置２１に識別番号を登録する。端末２０は、識別番号の登録が完了すると登録完了を示す信号（以降、登録完了信号と称する）を送信する。
【００３５】
また、図７に示すリスト２４に表示された識別番号をタップし、除外ボタン２６をタップすると、端末２０は照明装置１０に配置位置情報の受信を停止する信号（以降、除外信号と称する）を送信し、識別番号リスト２４から照明装置１０の識別番号を削除する。たとえば、図７に示すように照明装置１０aと１０ｂの識別番号を受信した識別番号リスト２４から照明装置１０ｂの識別番号を削除する場合、作業者は識別番号リスト２４の１０ｂをタップし、除外ボタン２６をタップすると照明装置１０ｂへ除外信号が送信される。この除外信号を受信した照明装置１０は光源１１の点滅を停止し、端末２０から送信された配置位置情報の受信を一定時間停止する。端末２０は、除外信号を送信後に、識別番号リスト２４から照明装置１０ｂの識別番号を削除する。これにより、詳細を後述するように照明装置１０aの識別番号と配置位置を対応付ける工程の中で、照明装置１０a以外の照明装置１０が端末２０の配置位置情報を受信した場合でも、この操作を行うことにより一定時間受信しないように制御できる。
【００３６】
また、図７において識別番号リスト２４の識別番号をロングタップすることで照明装置１０の光源１１の点滅を停止する信号が送信されてもよい（以降、点滅停止信号と称する）。たとえば、図７に示すように照明装置１０aと１０ｂの識別番号を受信した場合、作業者は識別番号リスト２４の１０ｂをロングタップすると照明装置１０ｂへ点滅停止信号が送信され、この点滅停止信号を受信した照明装置１０ｂは点滅を停止する。これにより、照明装置１０aは点滅しているが照明装置１０ｂは点滅を停止するため、作業者は、識別番号１０bを所持する照明装置１０bがどの照明装置であるかを外観で判別することができる。ここで、照明装置１０ｂを1番の配置位置２１に登録したい場合、登録ボタン２５を押すことで1番の配置位置２１に登録される。1番の配置位置２１に登録しない場合は、除外ボタン２６を押すことで照明装置１０ｂに除外信号が送信され、自機の識別情報リスト２４から識別番号１０ｂを削除する。
【００３７】
次に、作業者が照明システム１００を用いて照明装置１０a〜１０iの識別番号と配置位置を対応付ける流れを図８を参照して説明する。ここで、照明装置１０a〜１０iが照明空間１の天井に設置された直後は端末２０の配置図２２と照明装置１０a〜１０iは対応付けされていない状態とする。
【００３８】
まず、作業者は、外部電源１８から電力の供給を開始し照明装置１０a〜１０iを駆動させる（Ｓ１）。照明装置１０a〜１０iは、外部電源１８から電力が供給されると受信状態となり、端末２０の配置位置情報の受信を開始する（Ｓ２）。作業者は照明装置１０aの真下に移動し、端末２０の配置図２２の配置位置２１をひとつ選択する（図４）。たとえば１番の配置位置２１を選択したとする。１番の配置位置２１を選択された端末２０は、自機の識別番号を照明装置１０aに送信する（Ｓ３）。照明装置１０aは、端末２０から受信した配置位置情報を記憶部１５に記憶する（Ｓ４）。
【００３９】
次に、照明装置１０aは記憶部１５から自機の識別番号を呼び出し端末２０へ送信するとともに光源１１を点滅させる（Ｓ５）。端末２０は、照明装置１０aの識別番号を記憶部に記憶し、配置図２２の配置位置２１に照明装置１０aの識別番号を登録する（図５）（Ｓ６）。端末２０は、識別番号の登録が完了すると、登録完了信号を照明装置１０に送信する（Ｓ７）。この登録完了信号を受信した照明装置１０aは端末２０の配置位置情報の受信を停止する（Ｓ８）。同様に配置位置２１の２〜９番に対応する照明装置１０b〜１０iに、Ｓ１〜Ｓ８の作業を行うことで照明装置１０b〜１０iの識別番号を配置位置２１に登録する（図６）。
【００４０】
次に、作業者が照明システム１００を用いて照明装置１０aの識別番号と配置位置を対応付ける際に、端末２０が送信した配置位置情報を照明装置１０aと１０ｂが受信した場合の動作を図７と図９を参照して説明する。ここで、照明装置１０a〜１０iが照明空間１の天井に設置された直後は端末２０の配置図２２と照明装置１０a〜１０iは対応付けされていない状態とする。
【００４１】
図９のＳ１〜Ｓ３は図８のＳ１〜Ｓ３と同じ動作を行う。Ｓ３において、端末２０から送信された配置位置情報を照明装置１０aと１０bが受信すると、照明装置１０a、１０bは各々の記憶部１５に端末２０の配置位置情報を記憶する（Ｓ４）。次に、照明装置１０a、１０ｂは記憶部１５から自機の識別番号を呼び出し端末２０へ送信するとともに光源１１を点滅させる（Ｓ５）。端末２０は、照明装置１０a、１０ｂの識別番号を受信すると識別番号リスト２４を作成し表示画面２３に表示する（図７）（Ｓ６）。作業者は、識別番号リスト２４の１０ｂをタップし、除外ボタン２６をタップすることで端末２０から照明装置１０ｂへ除外信号を送信する（Ｓ７）。除外信号を受信した照明装置１０ｂは、光源１１の点滅を停止し一定時間端末２０の配置位置情報を受信しない状態となる（Ｓ８）。端末２０は、除外信号を送信後に識別番号リスト２４から照明装置１０ｂの識別番号を削除する（Ｓ９）。作業者は、端末２０のリスト２４の１０aをタップし、登録ボタン２５をタップすると照明装置１０aの識別番号を記憶部に記憶し、配置図２２の配置位置２１に照明装置１０aの識別番号を登録する（図５）（Ｓ１０）。端末２０は、識別番号の登録が完了すると、登録完了信号を照明装置１０に送信する（Ｓ１１）。この登録完了信号を受信した照明装置１０aは端末２０の配置位置情報の受信を停止する（Ｓ１２）。照明装置１０ｂは一定時間経過後に端末２０の配置位置情報を受信できる状態となるため、一定時間経過後に、同様に配置位置２１の２〜９番に対応する照明装置１０b〜１０iに、Ｓ１〜Ｓ５の作業を行うことで照明装置１０b〜１０iの識別番号を配置位置２１に登録する（図６）。
【００４２】
このように、配置図２１を有する端末２０から配置位置情報を送信し任意の照明装置１０と通信することにより、照明装置１０の配置位置と識別番号を容易に対応付けできる。また、照明装置１０は端末２０の配置位置情報を受信後に自機の識別番号を送信するため必要以上に識別番号を送信することを抑えることができる。
【００４３】
また、照明装置１０が配置位置情報を記憶することにより、位置情報を提供することができる。たとえば、デパートなどの大型施設に設置された照明装置１０が自機の配置位置情報を送受信部１４から発信することで、利用客に対し位置情報を提供することができる。また、災害時などで外部電源１８から電力の供給が遮断され停電となった場合に、蓄電池１２からの電力の供給により記憶部１５に記憶した自機の配置位置情報を送受信部１４から発信することで、避難者に位置情報を提供することができる。
【００４４】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１０  照明装置
１４  送受信部
１５  記憶部
２０  端末
【図１】
2019067599.tif 000003
【図２】
2019067599.tif 000004
【図３】
2019067599.tif 000005
【図４】
2019067599.tif 000006
【図５】
2019067599.tif 000007
【図６】
2019067599.tif 000008
【図７】
2019067599.tif 000009
【図８】
2019067599.tif 000010
【図９】
2019067599.tif 000011